(57)【要約】【課題】小型のメモリカードであっても、通常のサイズのメモリカード用の電子機器や携帯電話等への使用を可能とする。【解決手段】メモリカード４の端部が挿入されることによりメモリカード４が着脱自在に装着されるフレーム金具２と、フレーム金具２に差し込まれて組み付けられる樹脂成形体からなるコア３とを備える共に、全体の厚さがメモリカード４と略同じ厚さとなっており、フレーム金具２は、メモリカード４の装着側の両端部に略コ字形をなして一対となって形成され、メモリカード４が挿入されることによりメモリカード４の両サイドを抱持する抱持部２１、２２と、一対の抱持部２１、２２の間に設けられるメモリカード４の端部に対してばね力で係脱自在に係合してメモリカード４の抜け止めを行うフック部２３と、コア３への加締めによってコア３の固定を行う加締め用突起２４とを有しており、かつフレーム金具２の外面に絶縁被膜６０を形成して構成する。【選択図】          図１
2004348557.tif 000002
【特許請求の範囲】
【請求項１】
メモリカードの端部が挿入されることによりメモリカードが着脱自在に装着されるフレーム金具と、フレーム金具に差し込まれて組み付けられる樹脂成形体からなるコアとを備える共に、全体の厚さがメモリカードと略同じ厚さとなっており、
前記フレーム金具は、メモリカードの装着側の両端部に略コ字形をなして一対となって形成され、メモリカードが挿入されることによりメモリカードの両サイドを抱持する抱持部と、一対の抱持部の間に設けられ、メモリカードの端部に対してばね力で係脱自在に係合してメモリカードの抜け止めを行うフック部と、コアへの加締めによってコアの固定を行う加締め用突起とを有しており、かつフレーム金具外面に絶縁被膜を形成していることを特徴とするメモリカード用アダプタ。
【請求項２】
前記一対の抱持部は、略コ字形に形成されることによりメモリカードを弾性的に抱持するばね力が付与されていると共に、少なくとも一方の抱持部にメモリカードのセンタリングを行うセンタリング用ボス部が形成されていることを特徴とする請求項１記載のメモリカード用アダプタ。
【請求項３】
前記一対の抱持部は、コアと係合することにより略コ字形の開きを抑制する開き防止片を有していることを特徴とする請求項１または２記載のメモリカード用アダプタ。
【請求項４】
前記一対の抱持部におけるメモリカードの挿入側の端面が挿入方向に沿って斜めに切り欠かれていることを特徴とする請求項１〜３のいずれかに記載のメモリカード用アダプタ。
【請求項５】
前記一対の抱持部の少なくとも一方に、メモリカードと係止してフレーム金具に対するメモリカードの相対回動の回動中心となる切欠部が形成されていることを特徴とする請求項１〜４のいずれかに記載のメモリカード用アダプタ。
【請求項６】
相互に当接することによりコアとの離反方向へのフック部の変位を防止する変位規制部がコアとフック部とに設けられていることを特徴とする請求項１記載のメモリカード用アダプタ。
【請求項７】
絶縁被膜を、フレーム金具外面の全部に形成してなることを特徴とする請求項１記載のメモリカード用アダプタ。
【請求項８】
絶縁被膜を、フレーム金具外面の周囲に部分的に形成してなることを特徴とする請求項１記載のメモリカード用アダプタ。
【請求項９】
絶縁被膜を、アクリル樹脂、ポリエチレン樹脂、ポリイミド樹脂、ポリアミド樹脂、フッ素樹脂、エポキシ樹脂、ポリエステル樹脂等の熱可塑性あるいは熱硬化性樹脂にて形成してなることを特徴とする請求項１、７、８のいずれかに記載のメモリカード用アダプタ。
【請求項１０】
前記メモリカードは、ＲＳ−ＭＭＣであることを特徴とする請求項１〜６のいずれかに記載のメモリカード用アダプタ。
【発明の詳細な説明】
【０００１】
【発明の属する技術分野】
本発明は、メモリカード、特にＲＳ−ＭＭＣ等の小型のメモリカードが装着されることにより、メモリカードの使用可能な電子機器へのバリエーションを広げることが可能なアダプタに関する。
【０００２】
【従来の技術】
市販されているメモリカードとしては、ＡＴＡ（ＰＣ）カード、スマートメディアカード、ＣＦカード、ＭＭＣ（登録商標）等がある。一方、ＭＭＣと厚さは同じであるが、幅及び奥行き（長さ）が約半分のＲＳ（Ｒｅｄｕｃｅｄ  Ｓｉｚｅ）−ＭＭＣ（登録商標）が最近開発されている。このＲＳ−ＭＭＣは、ＭＭＣと同様なスペックとなっており、ＭＭＣの代替えとしてコンピュータ等の電子機器や携帯電話等に用いることが可能となっている。
【０００３】
【発明が解決しようとする課題】
しかしながら、ＲＳ−ＭＭＣは小型であり、ＭＭＣ等の他のメモリカードが適用可能なコンピュータや外付けドライバーに対して用いることができず、現状では、ＲＳ−ＭＭＣに対応した専用のコンピュータや外付けドライバーだけに対しての使用が可能となっている。このため、ＲＳ−ＭＭＣ等の小型のメモリカードでは、使用可能な電子機器の範囲が限られる問題を有している。
【０００４】
本発明は、このような問題点を考慮してなされたものであり、ＲＳ−ＭＭＣ等の小型のメモリカードを装着させることにより、ＭＭＣ等の通常のサイズのメモリカードに対応した電子機器への使用ができ、これにより小型のメモリカードの使用可能な範囲を広げることが可能なメモリカード用アダプタを提供することを目的とする。
【０００５】
【課題を解決するための手段】
上記目的を達成するため、請求項１の発明のメモリカード用アダプタは、メモリカードの端部が挿入されることによりメモリカードが着脱自在に装着されるフレーム金具と、フレーム金具に差し込まれて組み付けられる樹脂成形体からなるコアとを備える共に、全体の厚さがメモリカードと略同じ厚さとなっており、前記フレーム金具は、メモリカードの装着側の両端部に略コ字形をなして一対となって形成され、メモリカードが挿入されることによりメモリカードの両サイドを抱持する抱持部と、一対の抱持部の間に設けられ、メモリカードの端部に対してばね力で係脱自在に係合してメモリカードの抜け止めを行うフック部と、コアへの加締めによってコアの固定を行う加締め用突起とを有しており、かつフレーム金具外面に絶縁被膜を形成していることを特徴とする。
【０００６】
請求項１の発明では、フレーム金具にコアを差し込んで加締め用突起を加締めることにより、コアがフレーム金具に組み付けられてメモリカード用アダプタが形成される。このアダプタでは、フレーム金具にメモリカードを挿入することにより、抱持部がメモリカードの両サイドを抱持すると共に、フック部がメモリカードにばね力で係合して抜け止めを行い、これにより、メモリカードがアダプタに装着される。
【０００７】
メモリカードの装着状態では、メモリカードとアダプタとを合わせた寸法が、通常の大きさのメモリカードと同じ寸法となる。また、アダプタの厚さはメモリカードの厚さと略同じとなっている。このため、メモリカードをアダプタに装着した状態では、通常サイズのメモリカードと同じサイズとなるため、通常サイズのメモリカード用の電子機器に使用することができ、小型のメモリカードの使用可能範囲を拡大することができる。
【０００８】
さらに、フレーム金具の外面に絶縁被膜を形成してあるため、誤ってアダプタをコネクタに装着してもコネクタの接触子間をショートさせることがない。このため、関連電子機器等の破損や破壊を阻止することができる。
【０００９】
請求項２の発明は、請求項１記載のメモリカード用アダプタであって、前記一対の抱持部は、略コ字形に形成されることによりメモリカードを弾性的に抱持するばね力が付与されていると共に、少なくとも一方の抱持部にメモリカードのセンタリングを行うセンタリング用ボス部が形成されていることを特徴とする。
【００１０】
請求項２の発明では、抱持部がばね力でメモリカードを抱持するため、メモリカードを確実に装着することができる。また、センタリング用ボス部がメモリカードのセンタリングを行うため、メモリカードを正規の位置に確実に装着することができる。
【００１１】
請求項３の発明は、請求項１または２記載のメモリカード用アダプタであって、前記一対の抱持部は、コアと係合することにより略コ字形の開きを抑制する開き防止片を有していることを特徴とする。
【００１２】
請求項３の発明では、開き防止片がコアと係合することによって、抱持部の開きを抑制するため、フレーム金具が一定の厚さを維持し、アダプタの全体の厚さが増大することがない。このため、電子機器への装着を確実に行うことができる。また、抱持部によるメモリカードの抱持を確実に行うことができるため、メモリカードの脱落を防止することができる。さらに、メモリカードの頻繁な脱着を行っても、抱持部が略コ字形を維持するため、耐久性のあるものとすることができる。
【００１３】
請求項４の発明は、請求項１〜３のいずれかに記載のメモリカード用アダプタであって、一対の抱持部におけるメモリカードの挿入側の端面が挿入方向に沿って斜めに切り欠かれていることを特徴とする。
【００１４】
このように抱持部を斜めに切り欠くことにより、メモリカードを正規挿入したときに無抵抗となるのに対し、メモリカードを逆挿入すると大きな抵抗となる。このため、メモリカードの逆装着を挿入時の感触で未然に防止することができる。
【００１５】
請求項５の発明は、請求項１〜４のいずれかに記載のメモリカード用アダプタであって、前記一対の抱持部の少なくとも一方に、メモリカードと係止してフレーム金具に対するメモリカードの相対回動の回動中心となる切欠部が形成されていることを特徴とする。
【００１６】
請求項５の発明では、切欠部を中心としてメモリカードを相対的に回動させることにより、メモリカードをアダプタに装着できるため、装着を簡単に行うことができる。
【００１７】
また、この発明では、切欠部に対応した係止突起をメモリカードの一端部に形成することにより、係止突起と切欠部とを係止させて上述した回動中心とすることができる。これにより、メモリカードの相対回動を安定して行うことができるため、メモリカードの装着をさらに簡単に行うことができる。さらに、メモリカードに対して係止突起を一端部に形成することにより、装着時の方向性が付与されるため、メモリカードの逆装着を防止することができる。
【００１８】
請求項６の発明は、請求項１記載のメモリカード用アダプタであって、相互に当接することによりコアとの離反方向へのフック部の変位を防止する変位規制部がコアとフック部とに設けられていることを特徴とする。
【００１９】
請求項６の発明では、コアからフック部が離反しないように規制するため、フック部がコアから離れることがない。このため、メモリカードに対するフック部の姿勢が常に一定となり、フック部によるメモリカードへの係合を確実に行うことができる。
【００２０】
請求項７の発明は、絶縁被膜を、フレーム金具外面の全部に形成してなることを特徴とする。
【００２１】
請求項７の発明では、誤ってアダプタをコネクタに装着してもフレーム金具の外面の全部に形成された絶縁被膜によってコネクタの接触子間のショートを完全に阻止することができる。
【００２２】
請求項８の発明は、絶縁被膜を、フレーム金具外面の周囲に部分的に形成してなることを特徴とする。
【００２３】
請求項８の発明では、誤ってアダプタをコネクタに装着してもフレーム金具の外面の周囲に必要な部分だけ形成された絶縁被膜によってコネクタの接触子間のショートを十分に阻止することができる。
【００２４】
請求項９の発明は、絶縁被膜を、アクリル樹脂、ポリエチレン樹脂、ポリイミド樹脂、ポリアミド樹脂、フッ素樹脂、エポキシ樹脂、ポリエステル樹脂等の熱可塑性あるいは熱硬化性樹脂にて形成してなることを特徴とする。
【００２５】
請求項９の発明では、絶縁被膜として、各種の熱可塑性あるいは熱硬化性樹脂を使用したので、フレーム金具に対する機械的強度を弱くすることがなく、かつ長期に亘って絶縁性を保持することができる。
【００２６】
請求項１０の発明は、請求項１、７、８のいずれかに記載のメモリカード用アダプタであって、前記メモリカードは、ＲＳ−ＭＭＣであることを特徴とする。
【００２７】
請求項１０の発明では、小型のＲＳ−ＭＭＣを通常サイズのＭＭＣと同様に使用することができる。
【００２８】
【発明の実施の形態】
以下、本発明の一実施の形態を図１〜図２７を参照して説明すると、この実施の形態のアダプタ１は、フレーム金具２と、コア３とを備えている。
【００２９】
なお、この実施の形態のアダプタ１を説明する前に、アダプタ１に装着されるメモリカード４について説明する。メモリカード４は、通常サイズのメモリカードよりも長さが短くなった小型のメモリカードであり、この実施の形態では、ＲＳ−ＭＭＣ（登録商標）が使用されている。ＲＳ−ＭＭＣからなる小型のメモリカード４では、図１６〜図１８に示すように、本体４０における幅方向の両端部に厚さが薄くなった一対の被抱持部４１、４２が両面に形成されている。この被抱持部４１、４２はアダプタ１の抱持部２１、２２に抱持されるものである。また、一対の被抱持部４１、４２の間には、段状に低くなった矩形状の係合溝４３が形成されている。係合溝４３は本体４０の下面に形成されており、その係合溝４３に対してアダプタ１のフック部２３が係合する。これらの被抱持部４１、４２及び係合溝４３は、本体４０におけるアダプタ１側の端部に形成されるものである。
【００３０】
さらに、メモリーカード４の表面に種々な色の着色材料をコーティングすると、色別によってメモリーカード４を識別できるようになり、利便性を向上させることができると共に、コーティング加工の過程で施される約２００〜３００℃の熱処理によってフレーム金具２が硬化し、機械的強度を向上することができる。実測では約５％のアップが認められた。
【００３１】
アダプタ１におけるフレーム金具２はメモリカード４が装着されるものであり、ステンレス等の金属によって全体が形成されている。そして、この金属によって全体が形成されているフレーム金具２の外面には、図３０および図３１に示したようにアダプタ１を誤ってコネクタ５０に装着しても、コネクタ５０の接触子５１間をショートさせることがないように、絶縁被膜６０が形成されている。この絶縁被膜６０は、アクリル樹脂、ポリエチレン樹脂、ポリイミド樹脂、ポリアミド樹脂、フッ素樹脂、エポキシ樹脂、ポリエステル樹脂等の熱可塑性あるいは熱硬化性樹脂等を素材としている。また、フレーム金具２に対する絶縁被膜６０の形成には、塗装あるいはコーティングなど何れの手段を採用しても良い。さらに、この絶縁被膜６０を形成する範囲は、フレーム金具２の外面全体が好ましいが、必ずしもこれに限られるものではなく、例えば図２６および図２７に示すようにフレーム金具２の外周（２〜４ｍｍほど）だけでも良い。これでもショート防止の機能は十分に発揮されるからである。
【００３２】
さらに、このフレーム金具２は図１、図２及び図８に示すように、略平板状の支持板部２０と、支持板部２０に対して形成された左右一対の抱持部２１、２２、フック部２３及び加締め用突起２４とを有している。
【００３３】
抱持部２１、２２は、支持板部２０におけるメモリカード４装着側の左右両端部を略コ字形に屈曲させることにより、対となって形成されるものである。各抱持部２１、２２は、開口部が相互に向き合うように略コ字形に形成されるものであり、これらの抱持部２１、２２に対してメモリカード４の両端部が挿入されることにより、抱持部２１、２２はメモリカード４両端部の被抱持部４１、４２を抱持する。この抱持によって、メモリカード４は左右方向への変位及び上下方向への変位が抑制されるため、図１７及び図１８に示すように、アダプタ１とメモリカード４とがガタのない状態で面一状態で組み付けられる。また、抱持部２１、２２がメモリカード４の両端部を抱持することによって、アダプタ１とメモリカード４とが「く」の字となるように折れ曲がることを防止することができると共に、これらがねじれることがなく、ねじれによる離脱を防止することができる。
【００３４】
抱持部２１、２２は略コ字形に屈曲されることにより、その上片２１ａ、２２ａにばね力が付与されており、この上片２１ａ、２２ａがメモリカード４に弾性的に接触する。このように挿入されたメモリカード４を抱持部２１、２２が弾性的に抱持することにより、メモリカード４を確実に抱持することができる。
【００３５】
一方、抱持部２１、２２における支持板部２０側の下片２１ｂ、２２ｂには、センタリング用ボス部２５が形成されている。センタリング用ボス部２５は、下片２１ｂ、２２ｂを部分的に隆起加工することにより形成されるものである。それぞれのセンタリング用ボス部２５は、メモリカード４を抱持部２１、２２に挿入することにより、メモリカード４における被抱持部４１、４２と本体部４０との境界部分である段差部４５と接触する。この接触によってメモリカード４のセンタリングが行われるため、アダプタ１に対してメモリカード４を正規の位置に確実に装着することが可能となる。なお、センタリング用ボス部２５は対となっている抱持部２１、２２のいずれかに形成すれば良いものである。
【００３６】
抱持部２１、２２における上片２１ａ、２２ａには、開き防止片２６が形成されている。開き防止片２６は図５〜図７に示すように、各上片２１ａ、２２ａを下方に屈曲させると共に、この屈曲状態でコア３方向に延びることによって形成される。この開き防止片２６は、コア３に形成されているスリット３１に進入することによりコア３と係合する。この係合によって、開き防止片２６は上片２１ａ、２２ａが上方に変形したり、上方に湾曲することを防止する。これにより、成形された初期状態の略コ字形から抱持部２１、２２が開くことを抑制することができる。従って、フレーム金具２が一定の厚さを維持してアダプタ１の全体の厚さが増大することがないため、電子機器への装着を確実に行うことができると共に、抱持部２１、２２によるメモリカード４の抱持を確実に行うことができ、その脱落を防止することができる。また、メモリカード４の頻繁な脱着を行っても、抱持部２１、２２が略コ字形を維持するように作用するため、耐久性のあるものとすることができる。
【００３７】
対となっている抱持部２１、２２の上片２１ａ、２２ａには、傾斜面２７が各形成されている（図１参照）。傾斜面２７は抱持部２１、２２の上片２１ａ、２２ａにおけるメモリカード４挿入側の端面に形成されるものであり、しかもメモリカード４の挿入方向奥側に向かって斜めに切り欠くことによって形成されている。このように傾斜面２７を形成することにより、メモリカード４を正規挿入したときに無抵抗となるのに対し、メモリカード４を逆挿入すると大きな抵抗となる。このため、メモリカード４の逆装着を挿入時の感触によって防止することができる。なお、対となっている抱持部２１、２２の上片２１ａ、２２ａと下片２１ｂ、２２ｂの長さは、図示例では、若干異なっているか、短い側に合せて略同じ長さに形成してもよいものである。
【００３８】
フック部２３は一対の抱持部２１、２２の間に位置するようにフレーム金具２に設けられている。フック部２３は支持板部２０の端部を下方向に略直角状に屈曲させることにより形成されるものであり、抱持部２１、２２と同様にメモリカード４の装着側に形成されるが、抱持部２１、２２よりも幾分、内側に引っ込んだ位置となるようにフレーム金具２に形成される。このフック部２３はメモリカード４の係合溝４３と係合するものであり、この係合によってメモリカード４がアダプタ１から抜け落ちないように保持するようになっている。なお、フック部２３の高さを調整することでメモリカード４の係合溝４３とは反対側に設けられた係合溝４３’にも係合させることができる。これにより、表裏どちらからでもメモリカード４に装着可能とすることができる（図１９〜２１参照）。
【００３９】
フック部２３は支持板部２０と連設するように形成されるものであり、支持板部２０におけるフック部２３との連設部分２０ａには、図２及び図８に示すように、長尺な直線状のスリット２０ｂ、２０ｂが平行状態で形成されている。このスリット２０ｂ、２０ｂの形成によって連設部分２０ａにはばね力が付与され、従って、連設部分２０ａと連設しているフック部２３には、ばね力が付与されている。このため、フック部２３はばね力を伴ってメモリカード４に係合するため、確実に係合することが可能となっている。また、図２に示したように、連設部分２０ａ近傍に「ＰＵＳＨ」の文字２０ｃ及びセレーション２０ｄを刻印あるいは印刷によって表示する。これによって、押す箇所が示されるため操作性が向上すると共に、滑り止めの機能を備える。
【００４０】
加締め用突起２４は、支持板部２０の幅方向の両側に起立状に形成されており、加締められることにコア３を固定する。
【００４１】
コア３はＰＢＴ樹脂等の樹脂成形体からなり、平面から見て略矩形の薄板となるように成形されている。このようにコア３を樹脂成形体によって形成することにより、アダプタ１の軽量化を図ることができ、取り扱い性が向上する。また、コア３はメタルダイキャスト（例えば、アルミニュームや亜鉛等）の成形品に着色材料を塗装あるいはコーティングしたものでもよい。このように金属で成形すると重くなるものの、大幅な強度アップが可能となる。
【００４２】
コア３におけるフレーム金具２との対向面には、フレーム金具２の抱持部２１、２２に差し込まれる差し込み部３３が上面に凹みを設けることによって形成されている。差し込み部３３を抱持部２１、２２に差し込むことにより、コア３が左右方向に位置決めされた状態でフレーム金具２に取り付けられる。この場合、上述したように、抱持部２１、２２にばね力が付与されているため、差し込み部３３を抱持部２１、２２に差し込むと、図４に示すように、抱持部２１、２２の上片２１ａ、２２ａが差し込み部３３に弾性的に圧接する。これにより、フレーム金具２に対してコア３を仮組み立てすることができる。
【００４３】
コア３は支持板部２０の上面をスライドさせることにより、フレーム金具２に取り付けられるものであり、フレーム金具２への取り付け状態では、コア３の上面３４は露出した状態となっている。この露出している上面３４を手で把持してメモリカード４の装着を行うことができるため、金属からなるフレーム金具によって手を傷付けることを防止することができる。この場合、コア３の上面３４にシボ加工することも可能であり、これにより、成形時の樹脂のヒケによる凹凸が目立たなくなって外観が向上すると共に、フレーム金具２への組み付け時の滑りを防止することができる。
【００４４】
コア３におけるメモリカード４の装着側の端部である差し込み部３３側には、上述したスリット３１が形成されている。また、幅方向の両側には、加締め用突起２４に対応した加締め受け部３２が所定長さで形成されている。加締め受け部３２は図１５に示すように、外面が弧状となるように形成されており、フレーム金具２の加締め用突起２４が加締められることにより、加締め用突起２４と結合する。この結合によって、コア３をフレーム金具２に固定することができる。このように加締めによる固定では、圧入による固定と異なって大きな固定強度を得ることができると共に、経年変化がなく、コア３とフレーム金具２に安定して固定することができる。しかし、加締め方式以外にも、接着剤による固定方式によることもできる。
【００４５】
また、コア３の下面には、図１２、図１４で示すように、縦横方向にリブ３５が形成されている。このようにコア３にいわゆる肉ぬすみ形成することにより、強度が付与されていると共に、用いる樹脂量を少なくすることが可能となっている。さらには、コア３の後部には、電子装置からの取り出しを容易にするために長溝３６が形成されている。この長溝３６は、図示例では上下両面に設けてあるが、どちらか片面だけでもよい。なお、もとより長溝３６は無くても操作が可能なため不可欠のものではない。
【００４６】
以上に加えて、コア３及びフレーム金具２のフック部２３には、変位規制部が形成されている。変位規制部は図２及び図３に示すように、フック部２３の長さ方向の両端部に形成された当接耳部２８と、当接耳部２８に対応するようにコア３に形成された押え部３７とによって構成されている。このような変位規制部では、コア３をフレーム金具２に組み付ける際に、押え部３７が当接耳部２８に下側から当接して押さえ込む。この押え込みによってフック部２３及び連設部２０ａがコア３から離反するような変位（図２１参照）を規制するため、これらがコア３から離れることがない。これにより、メモリカード４に対するフック部２３の姿勢が常に一定となるため、フック部２３がメモリカード４に確実に係合することができる。
【００４７】
図８〜図１５は、コア３をフレーム金具２に組み付けてアダプタ１を作製する過程を示す。
【００４８】
図８に示すようにコア３をフレーム金具２の後側から接近させ、図９及び図１０に示すように、コア３の差し込み部３３をフレーム金具２の抱持部２１、２２に後側から差し入れる。このときには、加締め用突起２４は支持板部２０から起立したままの状態となっている。
【００４９】
図１１は差し込み部３３を抱持部２１、２２に完全に差し込んだ状態を示す。このときには、抱持部２１、２２がばね力を有しているため、抱持部２１、２２が差し込み部３３を強固に保持することができ、これにより、コア３とフレーム金具２とが仮組み立て状態となる。
【００５０】
図１５は仮組み立て状態に対し、加締めを行う状態を示している。加締めダイ５上に仮組み立て状態のアッシーを位置決めして載置し、加締めパンチ６を加締めダイ５に接近させる（図１５（ａ）の状態）。加締めパンチ６には、弧状の加締め凹部６ａが形成されており、加締めダイ５への接近によって加締め凹部６ａが加締め用突起２４に当たって同突起２４を強制的に曲げる（図１５（ｂ）、（ｃ）の状態）。これにより、加締め用突起２４がコア３の加締め受け部３２に加締められてコア３とフレーム金具２とが強固に組み付けられ、図１３、図１４及び図１、図２に示すようにアダプタ１が作製される。作製されたアダプタ１は、全体の厚さがメモリカード４と略同じ厚さとなるものである。
【００５１】
図１６〜図１９は、このようにして作製されたアダプタ１にメモリカード４を装着する過程を示す。
【００５２】
図１６及び図１９（ａ）に示すように、アダプタ１とメモリカード４とを対向させて、これらを相互に接近させ、メモリカード４の被抱持部４１、４２をフレーム金具２の抱持部２１、２２内に徐々に挿入する。この挿入によって、メモリカード４の後端部４６がフレーム金具２のフック部２３に当接し（図１９（ｂ））、フック部２３を押し下げる。このとき、メモリカード４の装着側の後端部４６にガイドテーパ４６ａを形成しておくことにより、フック部２３がガイドテーパ４６ａを摺動するため、円滑に押し下げられる（図１９（ｃ）及び（ｄ））。この摺動によって、フック部２３がメモリカード４の後端部４６を乗り越えると、フック部２３はばね力によってメモリカード４の係合溝４３内に入り込み、ばね力で係合溝４３と係合する（図１９（ｅ））。この係合によって、メモリカード４がアダプタ１に装着される。このような装着では、アダプタ１とメモリカード４とを接近させるだけで行うことができるため、簡単に装着することができる。
【００５３】
かかるメモリカード４の装着状態では、メモリカード４とアダプタ１とを合わせた寸法が、通常の大きさのメモリカードと同じ寸法となる。また、上述したように、アダプタ１の厚さはメモリカード４の厚さと略同じとなっている。このため、メモリカード４をアダプタ１に装着した状態では、通常サイズのメモリカードと同じサイズとなる。これにより、通常サイズのメモリカード用の電子機器や携帯電話等に使用することができるため、ＲＳ−ＭＭＣ等の小型のメモリカードの使用可能範囲を拡大することができる。
【００５４】
なお、フック部２３は当接耳部２８及びコア３の押さえ部３７からなる変位規制部によって、コア３との離反方向への変位が規制されているため、フック部２３がコア３から離れることがない。これにより、図２１のような状態となることがなく、メモリカード４に対するフック部２３の姿勢が常に一定となり、メモリカード４への係合を確実に行うことが可能となっている。
【００５５】
図２０は、メモリカード４をアダプタ１から取り外す操作を示す。取り外しの際には、フック部２３を押し下げて係合溝４３との係合から解除する。そして、この解除状態で、メモリカード４とアダプタ１とを引き離すことにより、メモリカード４の取り外しを行うことができる。従って、メモリカード４の取り外しも簡単に行うことができる。
【００５６】
この実施の形態では、図１及び図２に示すように、抱持部２１または２２に切欠部２９が形成されている。切欠部２９は、一方の抱持部２１の側面部分に矩形状となるように形成されているが、弧状の切欠部であっても良い。このように形成された切欠部２９は、メモリカード４の装着時における方向性の目安とすることができる。
【００５７】
図２２は、切欠部２９を目安としてメモリカード４を装着する操作を示す。アダプタ１における切欠部２９が形成されている端部をメモリカード４の端部に引っ掛けた状態で、切欠部２９を回動中心としてアダプタ１を相対的に回動させてメモリカード４を装着する。このような回動による装着では、装着時の方向性が明確となるため、誤装着や逆装着を防止できるメリットがある。
【００５８】
図２３は、メモリカード４の別の形態を示し、装着側の端部に係止突起４８が形成されている。図２４及び図２５は、図２３の形態のメモリカード４をアダプタ１に装着する操作を示す。アダプタ１に形成されている切欠部２９に係止突起４８を挿入して引っ掛け、この引っ掛け状態で切欠部２９を回動中心としてアダプタ１及びメモリカード４を相対的に回動させて装着を行う。
【００５９】
このような装着では、回動時にメモリカード４とアダプタ１とが外れないため、回動を安定して行うことができ、従って、メモリカード４の装着をさらに簡単、且つ確実に行うことができる。また、係止突起４８をメモリカード４の一端部に形成することにより、装着時の方向性が付与されるため、メモリカード４の逆装着を防止することができる。
【００６０】
図２８および図２９は、アダプタ１にメモリカード４を装着したものをコネクタ５０に正しく挿入、接続した例を示す。アダプタ１におけるフレーム金具２はコネクタ５０の接触子５１とは接触していない。したがって、各接触子５１間をショートさせることはない。
【００６１】
図３０および図３１は、アダプタ１にメモリカード４を装着したものをコネクタ５０に誤って挿入した例を示す。すなわち、ひっくり返して、かつ前後を逆にコネクタ５０に挿入したもので、コネクタ５０の接触子５１とフレーム金具２は接触してしまい、各接触子５１間をショートさせる。このような場合でもフレーム金具２外面に絶縁被膜６０が形成してあるため各接触子５１間のショートを防止することができる。
【００６２】
【発明の効果】
本発明は、以上詳述したように構成されるため、次に述べる効果を有する。
請求項１の発明によれば、メモリカードをアダプタに装着することにより、アダプタを含めた全体が通常サイズのメモリカードと同じサイズとなるため、通常サイズのメモリカード用の電子機器や携帯電話等に使用することができる。このため、小型のメモリカードの使用可能範囲を拡大することができる。さらに、フレーム金具の外面には絶縁被膜が形成してあるため、アダプタとメモリカードを誤ってコネクタに挿入しても、コネクタの接触子間をショートさせることはない。したがって、関連電子機器の破損や破壊を阻止することができる。
【００６３】
請求項２の発明によれば、請求項１の発明と同様な効果を有するのに加えて、ばね力でメモリカードを抱持するため、メモリカードを確実に装着することができ、しかも、メモリカードのセンタリングを行うため、メモリカードを正規位置に確実に装着することができる。
【００６４】
請求項３の発明によれば、抱持部の開きが抑制されるため、フレーム金具が常に一定の厚さを維持し、電子機器への装着を確実に行うことができると共に、メモリカードの離脱を防止することができる。
【００６５】
請求項４の発明によれば、請求項１〜３の発明の効果を有するのに加えて、メモリカードの逆装着を防止することができる。
【００６６】
請求項５の発明によれば、請求項１〜４の発明の効果を有するのに加えて、
メモリカードを相対的に回動させてアダプタに装着できるため、装着を簡単に行うことができる。また、切欠部に対応した突起部をメモリカードの一端部に形成することにより、装着時の方向性が付与されるため、メモリカードの逆装着を防止することができる。
【００６７】
請求項６の発明によれば、請求項１の発明の効果を有するのに加えて、コアからフック部が離反しないように規制するため、メモリカードに対するフック部の姿勢が常に一定となり、フック部によるメモリカードへの係合を確実に行うことができる。
【００６８】
請求項７の発明によれば、絶縁被膜をフレーム金具外面の全部に形成しているため、アダプタとメモリカードを誤ってコネクタに挿入しても、コネクタの接触子間のショートを完全に阻止することができる。
【００６９】
請求項８の発明によれば、絶縁被膜をフレーム金具の周囲に部分的に形成しているため、アダプタとメモリカードを誤ってコネクタに挿入しても、コネクタの接触子間のショートを十分に阻止することができる。
【００７０】
請求項９の発明によれば、フレーム金具に対する絶縁被膜として各種の熱可塑性あるいは熱硬化性樹脂を使用したので、フレーム金具の機械的強度を弱くすることがなく、かつ長期に亘って絶縁性を保持することができる。
【００７１】
請求項１０の発明によれば、請求項１〜６の発明の効果を有するのに加えて、小型のＲＳ−ＭＭＣを通常サイズのＭＭＣと同様に使用することができる。
【図面の簡単な説明】
【図１】本発明のアダプタを上方から示す斜視図である。
【図２】アダプタを下方から示す斜視図である。
【図３】フレーム金具のフック部を示す斜視図である。
【図４】抱持部による抱持状態を示す断面図である。
【図５】開き防止片を説明する分解斜視図である。
【図６】開き防止片の作用を示す断面図である。
【図７】開き防止片を組み付けた状態を示す斜視図である。
【図８】（ａ）及び（ｂ）は、アダプタを組み付ける前の平面図及び側面図である。
【図９】（ａ）及び（ｂ）は、アダプタを組み付ける途中の平面図及び側面図である。
【図１０】図９におけるＷ−Ｗ線拡大断面図である。
【図１１】（ａ）及び（ｂ）は、アダプタの仮組み付け状態を示す平面図及び側面図である。
【図１２】図１１におけるＸ−Ｘ線拡大断面図である。
【図１３】（ａ）及び（ｂ）は、アダプタを組み付けた状態を示す平面図及び側面図である。
【図１４】図１３におけるＹ−Ｙ線拡大断面図である。
【図１５】（ａ）〜（ｃ）は、加締め工程を示す断面図である。
【図１６】アダプタにメモリカードを装着する前の分解斜視図である。
【図１７】アダプタにメモリカードを装着した状態を示す下方からの斜視図である。
【図１８】アダプタにメモリカードを装着した状態を示す上方からの斜視図である。
【図１９】（ａ）〜（ｅ）は、アダプタにメモリカードを装着する過程を示す断面図である。
【図２０】アダプタからメモリカードを取り外す操作を示す断面図である。
【図２１】変位規制部がない場合の好ましくない状態を示す断面図である。
【図２２】アダプタにメモリカードを装着する別の方法を示す底面図である。
【図２３】別の形態のメモリカードを示す底面図である。
【図２４】図２３のメモリカードをアダプタに装着する操作を示す底面図である。
【図２５】図２４の部分拡大底面図である。
【図２６】他例のアダプタを上方から示す斜視図である。
【図２７】他例のアダプタを下方から示す斜視図である。
【図２８】アダプタとメモリカードをコネクタに正しく挿入した状態を示す平面図である。
【図２９】図２８のＡ−Ａ矢視断面図である。
【図３０】アダプタとメモリカードをコネクタに誤って挿入した状態を示す平面図である。
【図３１】図３０のＢ−Ｂ矢視断面図である。
【符号の説明】
１          アダプタ
２          フレーム金具
３          コア
４          メモリカード
２１、２２  抱持部
２３        フック部
２４        加締め用突起
２５        センタリング用ボス部
２６        開き防止片
２７        傾斜面
２９        切欠部
６０        絶縁被膜
【図１】
2004348557.tif 000003
【図２】
2004348557.tif 000004
【図３】
2004348557.tif 000005
【図４】
2004348557.tif 000006
【図５】
2004348557.tif 000007
【図６】
2004348557.tif 000008
【図７】
2004348557.tif 000009
【図８】
2004348557.tif 000010
【図９】
2004348557.tif 000011
【図１０】
2004348557.tif 000012
【図１１】
2004348557.tif 000013
【図１２】
2004348557.tif 000014
【図１３】
2004348557.tif 000015
【図１４】
2004348557.tif 000016
【図１５】
2004348557.tif 000017
【図１６】
2004348557.tif 000018
【図１７】
2004348557.tif 000019
【図１８】
2004348557.tif 000020
【図１９】
2004348557.tif 000021
【図２０】
2004348557.tif 000022
【図２１】
2004348557.tif 000023
【図２２】
2004348557.tif 000024
【図２３】
2004348557.tif 000025
【図２４】
2004348557.tif 000026
【図２５】
2004348557.tif 000027
【図２６】
2004348557.tif 000028
【図２７】
2004348557.tif 000029
【図２８】
2004348557.tif 000030
【図２９】
2004348557.tif 000031
【図３０】
2004348557.tif 000032
【図３１】
2004348557.tif 000033